(57)【要約】【課題】不要部分の切除を容易に行えるタグラベルを作成でき、利便性を向上する。【解決手段】複数の無線タグ回路素子Ｔoを配置した基材テープ１０１を巻回した第１ロール１０２を着脱可能なカートリッジ１００と、無線タグ回路素子Ｔoとの間で情報の送受信を行うアンテナ１４と、無線タグ回路素子ＴoのＩＣ回路部１５１へのアクセス情報を生成し、無線タグ回路素子Ｔoへ送信し、ＩＣ回路部１５１への情報書き込み又はＩＣ回路部１５１からの情報読み取りを行う信号処理回路２２及び送信部３２と、第１ロール１０２から基材テープ１０１を繰り出すための圧着ローラ駆動軸１２と、カバーフィルム１０３に印字を行う印字ヘッド１０と、基材テープ１０１において無線タグ回路素子Ｔoの配置された領域が視認可能となるように、印字ヘッド１０の印字を制御する制御回路３０とを有する。【選択図】  図１４
2006301862.tif 000002
【特許請求の範囲】
【請求項１】
ＩＣ回路部とタグ側アンテナとを備えた無線タグ回路素子を所定間隔で配置したタグテープを巻回したタグテープロールを着脱可能なタグテープロールホルダと、
前記無線タグ回路素子との間で無線通信により情報の送受信を行う装置側アンテナと、
前記無線タグ回路素子の前記ＩＣ回路部へのアクセス情報を生成し、前記装置側アンテナを介して前記無線タグ回路素子へ送信し、前記ＩＣ回路部への情報書き込み又は前記ＩＣ回路部からの情報読み取りを行う情報アクセス手段と、
前記タグテープロールから前記タグテープを繰り出すための駆動手段と、
該駆動手段によって繰り出された前記タグテープに印字を行う印字手段と、
前記タグテープにおいて前記無線タグ回路素子の配置された領域が視認可能となるように、前記印字手段の印字を制御する印字制御手段とを有することを特徴とするタグラベル作成装置。
【請求項２】
請求項１記載のタグラベル作成装置において、
前記無線タグ回路素子の前記タグテープにおける配置位置に関するタグ配置情報を入力するタグ配置情報入力手段を有し、
前記印字制御手段は、前記タグ配置情報入力手段で入力した前記タグ配置情報に基づき、前記印字手段の印字を制御することを特徴とするタグラベル作成装置。
【請求項３】
請求項２記載のタグラベル作成装置において、
前記印字手段で前記タグテープへ印字する印字情報を入力する印字情報入力手段を有し、
前記印字制御手段は、前記タグ配置情報と、前記印字情報入力手段で入力した前記印字情報とに基づき、前記印字手段の印字を制御することを特徴とするタグラベル作成装置。
【請求項４】
請求項３記載のタグラベル作成装置において、
前記印字制御手段は、
前記印字情報入力手段で入力した印字情報を所定の印字データ記憶領域に展開して記憶する印字データ記憶手段と、
前記タグ配置情報入力手段で入力したタグ配置情報を所定のタグ配置データ記憶領域に展開して記憶するタグ配置データ記憶手段とを備え、
前記印字データ記憶手段に記憶したデータと前記タグ配置データ記憶手段に記憶したデータとに基づき、前記印字手段への駆動信号を生成することを特徴とするタグラベル作成装置。
【請求項５】
請求項３記載のタグラベル作成装置において、
前記印字制御手段は、
前記印字情報入力手段で入力した印字情報を所定の印字データ記憶領域に展開して記憶する印字データ記憶手段を備え、
この印字データ記憶手段に記憶したデータを、前記タグ配置情報入力手段で入力したタグ配置情報を用いて加工し、前記印字手段への駆動信号を生成することを特徴とするタグラベル作成装置。
【請求項６】
請求項３記載のタグラベル作成装置において、
前記印字制御手段は、
前記タグ配置情報入力手段で入力したタグ配置情報を所定のタグ配置データ記憶領域に展開して記憶するタグ配置データ記憶手段を備え、
前記印字情報入力手段で入力した印字情報を、前記タグ配置データ記憶手段に記憶したデータを用いて加工し、前記印字手段への駆動信号を生成することを特徴とするタグラベル作成装置。
【請求項７】
請求項３記載のタグラベル作成装置において、
前記印字制御手段は、
前記タグ配置情報入力手段で入力したタグ配置情報と、前記印字情報入力手段で入力した印字情報とを用いて、前記印字手段への駆動信号を生成することを特徴とするタグラベル作成装置。
【請求項８】
請求項４又は５記載のタグラベル作成装置において、
前記印字データ記憶手段は、前記タグテープにおける前記無線タグ回路素子の配置領域の大きさに応じた前記印字データ記憶領域を備えていることを特徴とするタグラベル作成装置。
【請求項９】
請求項３乃至８のいずれか１項記載のタグラベル作成装置において、
前記印字制御手段は、前記タグ配置情報に基づき、前記印字情報に含まれる文字又は図像のうち前記無線タグ回路素子の配置領域に対応した部分の少なくとも一部の印字態様がそれ以外の部分と異なるように、前記印字手段の印字を制御することを特徴とするタグラベル作成装置。
【請求項１０】
請求項３乃至８のいずれか１項記載のタグラベル作成装置において、
前記印字制御手段は、前記タグ配置情報に基づき、前記印字情報に含まれる文字又は図像のうち前記無線タグ回路素子の配置領域に対応した部分の印字態様がそれ以外の部分と異なるように、前記印字手段の印字を制御することを特徴とするタグラベル作成装置。
【請求項１１】
請求項９又は請求項１０記載のタグラベル作成装置において、
前記印字制御手段は、前記印字情報に含まれる文字又は図像のうち前記無線タグ回路素子の配置領域に対応した部分の線図要素の太さを、それ以外の部分に比べて大きく又は小さくするように、前記印字手段の印字を制御することを特徴とするタグラベル作成装置。
【請求項１２】
請求項９又は請求項１０記載のタグラベル作成装置において、
前記印字制御手段は、前記印字情報に含まれる文字又は図像のうち前記無線タグ回路素子の配置領域に対応した部分の線図要素の色彩を、それ以外の部分に比べて変化させるように、前記印字手段の印字を制御することを特徴とするタグラベル作成装置。
【請求項１３】
請求項１２記載のタグラベル作成装置において、
前記印字制御手段は、前記印字情報に含まれる文字又は図像のうち前記無線タグ回路素子の配置領域に対応した部分の線図要素の色と背景色との対比を、それ以外の部分に比べて反転させるように、前記印字手段の印字を制御することを特徴とするタグラベル作成装置。
【請求項１４】
請求項３乃至８のいずれか１項記載のタグラベル作成装置において、
前記印字制御手段は、前記タグ配置情報に基づき、前記印字情報に含まれる文字又は図像のうち前記無線タグ回路素子の配置領域に対応した部分の背景の態様が、それ以外の部分の背景の態様と異なるように、前記印字手段の印字を制御することを特徴とするタグラベル作成装置。
【請求項１５】
請求項１４記載のタグラベル作成装置において、
前記印字制御手段は、前記印字情報に含まれる文字又は図像のうち前記無線タグ回路素子の配置領域に対応した部分の背景の線図要素の太さを、それ以外の部分の背景に比べて大きく又は小さくするように、前記印字手段の印字を制御することを特徴とするタグラベル作成装置。
【請求項１６】
請求項１４記載のタグラベル作成装置において、
前記印字制御手段は、前記印字情報に含まれる文字又は図像のうち前記無線タグ回路素子の配置領域に対応した部分の背景の線図要素の色彩を、それ以外の部分の背景に比べて変化させるように、前記印字手段の印字を制御することを特徴とするタグラベル作成装置。
【請求項１７】
請求項３乃至８のいずれか１項記載のタグラベル作成装置において、
前記印字制御手段は、前記タグ配置情報に基づき、前記印字情報に含まれる文字又は図像が、前記無線タグ回路素子の配置領域に対応した印字領域に合致するよう伸縮して印字されるように、前記印字手段を制御することを特徴とするタグラベル作成装置。
【請求項１８】
請求項１７記載のタグラベル作成装置において、
前記印字制御手段は、前記文字又は図像が、前記印字領域に合致するよう縮小して印字されるように、前記印字手段を制御することを特徴とするタグラベル作成装置。
【請求項１９】
請求項２乃至１７のいずれか１項記載のタグラベル作成装置において、
前記タグテープロールホルダは、前記タグテープロールを収納した無線タグ回路素子カートリッジを着脱可能なカートリッジホルダであり、
前記無線タグ回路素子カートリッジに備えられた被検出子を検出する検出手段を設け、
前記タグ配置情報入力手段は、前記検出手段からの検出信号に含まれる前記タグ配置情報を入力することを特徴とするタグラベル作成装置。
【発明の詳細な説明】
【技術分野】
【０００１】
本発明は、外部と情報の無線通信が可能な無線タグラベルを作成するタグラベル作成装置に関する。
【背景技術】
【０００２】
小型の無線タグとリーダ（読み取り装置）／ライタ（書き込み装置）との間で非接触で情報の読み取り／書き込みを行うＲＦＩＤ（Radio Frequency Identification）システムが知られている。無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用が期待されている。
【０００３】
このような無線タグは、通常、ラベル状の素材上に無線タグ回路素子を設けて形成され、このタグラベルが例えば各種書類・物品の分類・整理のために対象物品等に貼り付けられることが多い。また、この無線タグの管理上、タグ自体に併せて文字情報を印字しておくと非常に便利である。これに応じ、従来、無線タグへの情報読み取り／書き込みとタグへの印字とを併せて行うタグラベル作成装置が既に提唱されている。
【０００４】
例えばこのようなタグラベル作成装置としては、特許文献１に記載のものが知られている。この従来技術では、基材テープ（ポリイミド基板）及び印字が行われる被印字紙（コート紙）等を積層して構成され、無線タグ回路素子（ＩＣ）を包含するラベル本体と、このラベル本体の裏面側（基材テープ側）に粘着材層を介して接着され、無線タグ回路素子の配置された領域に対応した領域に識別マーク（切断禁止マーク）が印字された剥離紙とを備えた無線タグラベルが作成されるようになっている。このように剥離紙に無線タグ回路素子の配置領域を表す識別マークを設けることにより、ユーザが不要部分を切除してタグラベルを使用する際に、誤って無線タグ回路素子を切断することを防止できるようになっている。
【０００５】
【特許文献１】特開平１０−２５５４４１号公報
【発明の開示】
【発明が解決しようとする課題】
【０００６】
一般に、無線タグラベルの大きさを調整する際、ユーザは印字の施された被印字紙側（即ち、タグラベルの表面側）を見ながら、無線タグラベルと印字領域とのバランスを取るように不要部分の切除を行う。そのため、上記従来技術のタグラベルのように被印字紙側と反対側（即ち、タグラベルの裏面側）の剥離紙に切断禁止マークが設けられている場合、タグラベルの表面と裏面を交互に見ながら切除作業を行う必要があり、利便性が低下していた。
【０００７】
本発明の目的は、不要部分の切除を容易に行えるタグラベルを作成でき、利便性を向上できるタグラベル作成装置を提供することにある。
【課題を解決するための手段】
【０００８】
上記目的を達成するために、第１の発明は、複数の無線タグ回路素子を所定間隔で配置したタグテープを巻回したタグテープロールを着脱可能なタグテープロールホルダと、前記無線タグ回路素子との間で無線通信により情報の送受信を行う装置側アンテナと、前記無線タグ回路素子のＩＣ回路部へのアクセス情報を生成し、前記装置側アンテナを介して前記無線タグ回路素子へ送信し、前記ＩＣ回路部への情報書き込み又は前記ＩＣ回路部からの情報読み取りを行う情報アクセス手段と、前記タグテープロールから前記タグテープを繰り出すための駆動手段と、前記タグテープに印字を行う印字手段と、前記タグテープにおいて前記無線タグ回路素子の配置された領域が視認可能となるように、前記印字手段の印字を制御する印字制御手段とを有することを特徴とする。
【０００９】
本願第１発明においては、情報アクセス手段でタグテープに備えられた無線タグ回路素子のＩＣ回路部に対する情報読み取り又は書き込みを行うとともにタグテープの所定の印字領域に印字手段で印字を行い、タグラベルを作成する。そしてその際、印字制御手段の制御に基づき印字手段は、無線タグ回路素子の配置領域が視認されるようにタグテープへ印字を行う。これにより、ユーザは、できあがったタグラベルにおける無線タグ回路素子の配置領域を、印字側（表側）から容易に視認（認識）できる。この結果、例えば、無線タグ回路素子を避けつつ、タグラベルの不要部分を簡単に切断し除去することが可能であり、また貼り付け対象にタグラベルを貼り付けるときに無線タグ回路素子の領域に応じて貼り付け態様や貼り付け部位を簡単に工夫することが可能となる等、ユーザの利便性を向上することができる。
【００１０】
第２の発明は、上記第１発明において、前記無線タグ回路素子の前記タグテープにおける配置位置に関するタグ配置情報を入力するタグ配置情報入力手段を有し、前記印字制御手段は、前記タグ配置情報入力手段で入力した前記タグ配置情報に基づき、前記印字手段の印字を制御することを特徴とする。
【００１１】
これにより、タグ配置情報入力手段で入力したタグ配置情報に基づき、印字することができる。
【００１２】
第３の発明は、上記第２発明において、前記印字手段で前記タグテープへ印字する印字情報を入力する印字情報入力手段を有し、前記印字制御手段は、前記タグ配置情報と、前記印字情報入力手段で入力した前記印字情報とに基づき、前記印字手段の印字を制御することを特徴とする。
【００１３】
タグ配置情報入力手段で入力したタグ配置情報と印字情報入力手段で入力した印字情報とに基づき、印字情報と配置情報との双方を印字することができる。
【００１４】
第４の発明は、上記第３発明において、前記印字制御手段は、前記印字情報入力手段で入力した印字情報を所定の印字データ記憶領域に展開して記憶する印字データ記憶手段と、前記タグ配置情報入力手段で入力したタグ配置情報を所定のタグ配置データ記憶領域に展開して記憶するタグ配置データ記憶手段とを備え、前記印字データ記憶手段に記憶したデータと前記タグ配置データ記憶手段に記憶したデータとに基づき、前記印字手段への駆動信号を生成することを特徴とする。
【００１５】
タグ配置情報入力手段で入力したタグ配置情報をタグ配置データ記憶手段の記憶領域に展開して記憶し、印字情報入力手段で入力した印字情報を印字データ記憶手段の印字データ記憶領域に展開して記憶することができる。これにより、印字処理の実行前に、印字データ記憶手段に記憶したデータとタグ配置データ記憶手段に記憶したデータとに基づいた印字のためのデータを作成して記憶しておくことができる。その結果、印字の実行時には、その記憶されたデータを単に読み出して印字手段への駆動信号を生成することにより印字処理を行うことができるので、簡単な構成で印字制御を正確なタイミングで行うことが可能である。
【００１６】
第５の発明は、上記第３発明において、前記印字制御手段は、前記印字情報入力手段で入力した印字情報を所定の印字データ記憶領域に展開して記憶する印字データ記憶手段を備え、この印字データ記憶手段に記憶したデータを、前記タグ配置情報入力手段で入力したタグ配置情報を用いて加工し、前記印字手段への駆動信号を生成することを特徴とする。
【００１７】
印字情報入力手段で入力した印字情報を印字データ記憶手段の印字データ記憶領域に展開して記憶することができる。これにより、印字処理の実行前に、印字データ記憶手段に記憶したデータをタグ配置情報入力手段で入力したタグ配置情報を用いて加工し作成した印字のためのデータを記憶しておくことができる。その結果、印字の実行時には、その記憶されたデータを単に読み出して印字手段への駆動信号を生成することにより印字処理を行うことができるので、簡単な構成で印字制御を実現可能である。
【００１８】
第６の発明は、上記第３発明において、前記印字制御手段は、前記タグ配置情報入力手段で入力したタグ配置情報を所定のタグ配置データ記憶領域に展開して記憶するタグ配置データ記憶手段を備え、前記印字情報入力手段で入力した印字情報を、前記タグ配置データ記憶手段に記憶したデータを用いて加工し、前記印字手段への駆動信号を生成することを特徴とする。
【００１９】
タグ配置情報入力手段で入力したタグ配置情報をタグ配置データ記憶手段のタグ配置データ記憶領域に展開して記憶することができる。
【００２０】
第７の発明は、上記第３発明において、前記印字制御手段は、前記タグ配置情報入力手段で入力したタグ配置情報と、前記印字情報入力手段で入力した印字情報とを用いて、前記印字手段への駆動信号を生成することを特徴とする。
【００２１】
タグ配置情報入力手段で入力したタグ配置情報と印字情報入力手段で入力した印字情報とを用いて駆動信号を生成し、この駆動信号に基づき印字手段が無線タグ回路素子の配置領域が視認されるようにタグテープへ印字を行うことで、ユーザがタグラベルにおける無線タグ回路素子の配置領域を容易に視認（認識）することができる。
【００２２】
第８の発明は、上記第４又は第５発明において、前記印字データ記憶手段は、前記タグテープにおける前記無線タグ回路素子の配置領域の大きさに応じた前記印字データ記憶領域を備えていることを特徴とする。
【００２３】
これにより、印字データ記憶領域は、少なくとも無線タグ回路素子の配置領域に対応した分の量のデータを記憶できるので、この印字データ記憶領域に記憶したデータとタグ配置データ記憶手段の記憶データに基づき、もしくは、上記印字データ記憶領域に記憶したデータをタグ配置情報を用いて加工することで、少なくとも無線タグ回路素子の配置領域は他の部分から視認（識別）可能となるようなタグテープへの印字を確実に行うことができる。
【００２４】
第９の発明は、上記第３乃至第８発明のいずれか１つにおいて、前記印字制御手段は、前記タグ配置情報に基づき、前記印字情報に含まれる文字又は図像のうち前記無線タグ回路素子の配置領域に対応した部分の少なくとも一部の印字態様がそれ以外の部分と異なるように、前記印字手段の印字を制御することを特徴とする。
【００２５】
これにより、印字情報に含まれる文字又は図像のうち、無線タグ回路素子の配置領域に対応した部分だけ印字態様が変化するので、ユーザにとって無線タグ回路素子の配置領域が一目瞭然となる。
【００２６】
第１０の発明は、上記第３乃至第８発明のいずれか１つにおいて、前記印字制御手段は、前記タグ配置情報に基づき、前記印字情報に含まれる文字又は図像のうち前記無線タグ回路素子の配置領域に対応した部分の印字態様がそれ以外の部分と異なるように、前記印字手段の印字を制御することを特徴とする。
【００２７】
これにより、印字情報に含まれる文字又は図像のうち、無線タグ回路素子の配置領域に対応した部分だけ印字態様が変化するので、ユーザにとって無線タグ回路素子の配置領域が一目瞭然となる。
【００２８】
第１１の発明は、上記第９又は第１０発明において、前記印字制御手段は、前記印字情報に含まれる文字又は図像のうち前記無線タグ回路素子の配置領域に対応した部分の線図要素の太さを、それ以外の部分に比べて大きく又は小さくするように、前記印字手段の印字を制御することを特徴とする。
【００２９】
これにより、印字情報に含まれる文字又は図像の線図要素が、無線タグ回路素子の配置領域に対応した部分だけ太く又は細く変化するので、ユーザにとって無線タグ回路素子の配置領域が一目瞭然となる。
【００３０】
第１２の発明は、上記第９又は第１０発明において、前記印字制御手段は、前記印字情報に含まれる文字又は図像のうち前記無線タグ回路素子の配置領域に対応した部分の線図要素の色彩を、それ以外の部分に比べて変化させるように、前記印字手段の印字を制御することを特徴とする。
【００３１】
これにより、印字情報に含まれる文字又は図像の線図要素の色が、無線タグ回路素子の配置領域に対応した部分だけ、例えば濃く又は薄くあるいは色自体が変化する（階調の変化を含む）ので、ユーザにとって無線タグ回路素子の配置領域が一目瞭然となる。
【００３２】
第１３の発明は、上記第１２発明において、前記印字制御手段は、前記印字情報に含まれる文字又は図像のうち前記無線タグ回路素子の配置領域に対応した部分の線図要素の色と背景色との対比を、それ以外の部分に比べて反転させるように、前記印字手段の印字を制御することを特徴とする。
【００３３】
これにより、印字情報に含まれる文字又は図像の線図要素の色と背景色とのバランスが、無線タグ回路素子の配置領域に対応した部分だけ反転するので、ユーザにとって無線タグ回路素子の配置領域が一目瞭然となる。
【００３４】
第１４の発明は、上記第３乃至第８発明のいずれか１つにおいて、前記印字制御手段は、前記タグ配置情報に基づき、前記印字情報に含まれる文字又は図像のうち前記無線タグ回路素子の配置領域に対応した部分の背景の態様が、それ以外の部分の背景の態様と異なるように、前記印字手段の印字を制御することを特徴とする。
【００３５】
これにより、印字情報に含まれる文字又は図像のうち、無線タグ回路素子の配置領域に対応した部分は、背景が別途追加されたりその態様が他の部分に比べ変化するので、ユーザにとって無線タグ回路素子の配置領域が一目瞭然となる。
【００３６】
第１５の発明は、上記第１４発明において、前記印字制御手段は、前記印字情報に含まれる文字又は図像のうち前記無線タグ回路素子の配置領域に対応した部分の背景の線図要素の太さを、それ以外の部分の背景に比べて太くまたは細くするように、前記印字手段の印字を制御することを特徴とする。
【００３７】
これにより、印字情報に含まれる文字又は図像の背景が、無線タグ回路素子の配置領域に対応した部分だけ太く又は細く変化するので、ユーザにとって無線タグ回路素子の配置領域が一目瞭然となる。
【００３８】
第１６の発明は、上記第１４発明において、前記印字制御手段は、前記印字情報に含まれる文字又は図像のうち前記無線タグ回路素子の配置領域に対応した部分の背景の線図要素の色彩を、それ以外の部分の背景に比べて変化させるように、前記印字手段の印字を制御することを特徴とする。
【００３９】
これにより、印字情報に含まれる文字又は図像の背景の線図要素の色が、無線タグ回路素子の配置領域に対応した部分だけ、例えば濃く又は薄くあるいは色自体が変化する（階調の変化を含む）ので、ユーザにとって無線タグ回路素子の配置領域が一目瞭然となる。
【００４０】
第１７の発明は、上記第３乃至第８発明のいずれか１つにおいて、前記印字制御手段は、前記タグ配置情報に基づき、前記印字情報に含まれる文字又は図像が、前記無線タグ回路素子の配置領域に対応した印字領域に合致するよう伸縮して印字されるように、前記印字手段を制御することを特徴とする。
【００４１】
これにより、印字情報に含まれる文字又は図像が、無線タグ回路素子の配置領域に対応して伸縮し、その文字又は図像の大きさが無線タグ回路素子の配置領域をほぼ表すこととなるので、ユーザにとって無線タグ回路素子の配置領域が一目瞭然となる。
【００４２】
第１８の発明は、上記第１７発明において、前記印字制御手段は、前記文字又は図像が、前記印字領域に合致するよう縮小して印字されるように、前記印字手段を制御することを特徴とする。
【００４３】
印字情報に含まれる文字又は図像が無線タグ回路素子の配置領域よりも大きかった場合でも当該配置領域に対応して縮小することで、その文字又は図像の大きさが無線タグ回路素子の配置領域をほぼ表すこととなり、ユーザにとって無線タグ回路素子の配置領域が一目瞭然となる。
【００４４】
第１９の発明は、上記第２乃至第１７発明のいずれか１つにおいて、前記タグテープロールホルダは、前記タグテープロールを収納した無線タグ回路素子カートリッジを着脱可能なカートリッジホルダであり、前記無線タグ回路素子カートリッジに備えられた被検出子を検出する検出手段を設け、前記タグ配置情報入力手段は、前記検出手段からの検出信号に含まれる前記タグ配置情報を入力することを特徴とする。
【００４５】
カートリッジホルダに装着された無線タグ回路素子カートリッジの被検出子を検出手段で検出し、その検出信号に含まれるタグ配置情報をタグ配置情報入力手段が入力し印字制御手段が印字手段を制御することで、無線タグ回路素子の配置領域が視認（識別）されるようにタグテープへ印字を行うことができる。また、無線タグ回路素子の配置の異なるカートリッジへ交換しても、確実にこれに対応した印字制御を行うことが可能となる。
【発明の効果】
【００４６】
本発明によれば、タグラベルの不要部分の切除を容易に行うことができ、利便性を向上できる。
【発明を実施するための最良の形態】
【００４７】
以下、本発明の一実施の形態を図面を参照しつつ説明する。
【００４８】
図１は、本実施形態のタグラベル作成装置が適用される無線タグ生成システムを表すシステム構成図である。
【００４９】
図１に示すこの無線タグ生成システム１において、本実施形態によるタグラベル作成装置２は、有線あるいは無線による通信回線３を介してルートサーバ４、（操作）端末５、汎用コンピュータ６、及び複数の情報サーバ７に接続されている。
【００５０】
図２は、上記タグラベル作成装置２の詳細構造を表す概念的構成図である。
【００５１】
図２において、タグラベル作成装置２の装置本体８には、凹所としてのカートリッジホルダ部（図示せず）が設けられ、このホルダ部に、カートリッジ１００が着脱可能に取り付けられている。
【００５２】
装置本体８は、カートリッジ１００を嵌合させる上記カートリッジホルダ部を備えるとともに外郭を構成する筐体９と、カバーフィルム１０３に所定の印字（印刷）を行う印字手段としての印字ヘッド（サーマルヘッド）１０と、カバーフィルム１０３への印字が終了したインクリボン１０５を駆動するリボン巻取りローラ駆動軸１１と、カバーフィルム１０３と基材テープ１０１とを貼り合わせつつ印字済タグラベル用テープ１１０としてカートリッジ１００から繰り出すための圧着ローラ駆動軸（駆動手段）１２と、印字済タグラベル用テープ１１０に備えられる無線タグ回路素子Ｔo（詳細は後述）との間でＵＨＦ帯等の高周波を用いて無線通信により信号の送受を行うアンテナ（装置側アンテナ）１４と、上記印字済タグラベル用テープ１１０を所定のタイミングで所定の長さに切断しラベル状の無線タグラベルＴ（詳細は後述）を生成するカッタ１５と、上記無線通信による信号送受時において無線タグ回路素子Ｔoをアンテナ１４に対向する所定のアクセスエリアに設定保持するとともに、切断後の上記テープ１１０（＝無線タグラベルＴ）を案内するための一対の搬送ガイド１３と、その案内された無線タグラベルＴを搬出口１６へと搬送し送出する送出ローラ１７と、搬出口１６における無線タグラベルＴの有無を検出する排出センサ１８とを有する。
【００５３】
一方、装置本体８はまた、上記アンテナ１４を介し上記無線タグ回路素子Ｔoへアクセスする（読み取り又は書き込みを行う）ための高周波回路２１と、無線タグ回路素子Ｔoから読み出された信号を処理するための信号処理回路２２と、前述したリボン巻取りローラ駆動軸１１、テープ送りローラ駆動軸１２を駆動するカートリッジ用モータ２３と、このカートリッジ用モータ２３の駆動を制御するカートリッジ駆動回路２４と、上記印字ヘッド１０への通電を制御する印刷駆動回路２５と、上記カッタ１５を駆動して切断動作を行わせるソレノイド２６と、そのソレノイド２６を制御するソレノイド駆動回路２７と、上記送出ローラ１７を駆動する送出ローラ用モータ２８と、この送出ローラ用モータ２８を制御する送出ローラ駆動回路２９と、カートリッジ１００に設けた被検出部１９０（詳細は後述）に備えられたタグ配置情報（基材テープ１０１内における無線タグ回路素子Ｔoの配置位置を表す情報。例えばテープ幅、無線タグ回路素子Ｔoの配置間隔情報等を含む。）を検出するセンサ（検出手段）２０と、上記高周波回路２１、信号処理回路２２、カートリッジ駆動回路２４、印刷駆動回路２５、ソレノイド駆動回路２７、送出ローラ駆動回路２９等を介し、タグラベル作成装置２全体の動作を制御するための制御回路３０とを有する。
【００５４】
制御回路３０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。またこの制御回路３０は、入出力インターフェイス３１を介し例えば通信回線に接続され、この通信回線に接続された前述のルートサーバ４、他の端末５、汎用コンピュータ６、及び情報サーバ７等との間で情報のやりとりが可能となっている。
【００５５】
図３は、カートリッジ１００の詳細構造を説明するための説明図である。
【００５６】
この図３において、カートリッジ１００は、筐体１００Ａと、この筐体１００Ａ内に配置され帯状の上記基材テープ（タグテープ）１０１が巻回された第１ロール（タグテープロール）１０２と、上記基材テープ１０１と略同じ幅である透明な上記カバーフィルム１０３が巻回された第２ロール１０４と、上記インクリボン１０５（熱転写リボン、但しカバーフィルムが感熱テープの場合は不要）を繰り出すリボン供給側ロール１１１と、印字後のリボン１０５を巻取るリボン巻取りローラ１０６と、上記基材テープ１０１と上記カバーフィルム１０３とを押圧し接着させ上記印字済タグラベル用テープ１１０としつつ矢印Ａで示す方向にテープ送りをする（＝テープ送りローラとしても機能する）圧着ローラ１０７とを有する。
【００５７】
第１ロール１０２は、リール部材１０２ａの周りに、長手方向に複数の無線タグ回路素子Ｔoが所定の等間隔で順次形成された上記基材テープ１０１を巻回している。
【００５８】
基材テープ１０１はこの例では４層構造となっており（図３中部分拡大図参照）、内側に巻かれる側（図３中右側）よりその反対側（図３中左側）へ向かって、適宜の粘着材からなる粘着層１０１ａ、ＰＥＴ（ポリエチレンテレフタラート）等から成る色付きのベースフィルム１０１ｂ、適宜の粘着材からなる粘着層１０１ｃ、剥離紙１０１ｄの順序で積層され構成されている。
【００５９】
ベースフィルム１０１ｂの裏側（図３中左側）には、情報の送受信を行うアンテナ（アンテナ部）１５２が一体的に設けられており、これに接続するように情報を記憶するＩＣ回路部１５１が形成され、これらによって無線タグ回路素子Ｔoが構成されている。
【００６０】
ベースフィルム１０１ｂの表側（図３中右側）には、後にカバーフィルム１０３を接着するための上記粘着層１０１ａが形成され、またベースフィルム１０１ｂの裏側（図３中左側）には、無線タグ回路素子Ｔoを内包するように設けた上記粘着層１０１ｃによって上記剥離紙１０１ｄがベースフィルム１０１ｂに接着されている。なお、この剥離紙１０１ｄは、最終的にラベル状に完成した無線タグラベルＴが所定の商品等に貼り付けられる際に、これを剥がすことで粘着層１０１ｃにより当該商品等に接着できるようにしたものである。
【００６１】
第２ロール１０４は、リール部材１０４ａの周りに上記カバーフィルム１０３を巻回している。第２ロール１０４より繰り出されるカバーフィルム１０３は、その裏面側（すなわち上記基材テープ１０１と接着される側）に配置されたリボン供給側ロール１１１及びリボン巻取りローラ１０６で駆動されるリボン１０５が、上記印字ヘッド１０に押圧されることで当該カバーフィルム１０３の裏面に当接させられるようになっている。
【００６２】
リボン巻取りローラ１０６及び圧着ローラ１０７は、それぞれカートリッジ１００外に設けた例えばパルスモータである上記カートリッジ用モータ２３（前述の図２参照）の駆動力が上記リボン巻取りローラ駆動軸１１及び上記テープ送りローラ駆動軸１２に伝達されることによって回転駆動される。
【００６３】
上記構成のカートリッジ１００において、上記第１ロール１０２より繰り出された基材テープ１０１は、圧着ローラ１０７へと供給される。一方、第２ロール１０４より繰り出されるカバーフィルム１０３は、その裏面側（すなわち上記基材テープ１０１と接着される側）に配置されたリボン供給側ロール１１１及びリボン巻取りローラ１０６で駆動されるインクリボン１０５が、上記印字ヘッド１０に押圧されることで当該カバーフィルム１０３の裏面に当接させられるようになっている。
【００６４】
そして、カートリッジ１００が上記装置本体８のカートリッジホルダ部に装着されロールホルダ（図示せず）が離反位置から当接位置に移動されると、カバーフィルム１０３及びインクリボン１０５が印字ヘッド１０とプラテンローラ１０８との間に狭持されるとともに、基材テープ１０１及びカバーフィルム１０３が圧着ローラ１０７とサブローラ１０９との間に狭持される。そして、カートリッジ用モータ２３の駆動力によってリボン巻取りローラ１０６及び圧着ローラ１０７が矢印Ｂ及び矢印Ｄで示す方向にそれぞれ同期して回転駆動される。このとき、前述のテープ送りローラ駆動軸１２と上記サブローラ１０９及びプラテンローラ１０８はギヤ（図示せず）にて連結されており、テープ送りローラ駆動軸１２の駆動に伴い圧着ローラ１０７、サブローラ１０９、及びプラテンローラ１０８が回転し、第１ロール１０２から基材テープ１０１が繰り出され、上述のように圧着ローラ１０７へ供給される。一方、第２ロール１０４からはカバーフィルム１０３が繰り出されるとともに、上記印刷駆動回路２５により印字ヘッド１０の複数の発熱素子が通電される。この結果、カバーフィルム１０３の裏面に印字Ｒ（後述の図６参照）が印刷される。そして、上記基材テープ１０１と上記印刷が終了したカバーフィルム１０３とが上記圧着ローラ１０７及びサブローラ１０９により接着されて一体化され、印字済タグラベル用テープ１１０として形成され、カートリッジ１００外へと搬出される。なお、カバーフィルム１０３への印字が終了したインクリボン１０５は、リボン巻取りローラ駆動軸１１の駆動によりリボン巻取りローラ１０６に巻取られる。
【００６５】
図４は、上記高周波回路２１の詳細機能を表す機能ブロック図である。この図４において、高周波回路２１は、アンテナ１４を介し無線タグ回路素子Ｔoに対して信号を送信する送信部３２と、アンテナ１４により受信された無線タグ回路素子Ｔoからの反射波を入力する受信部３３と、送受分離器３４とから構成される。
【００６６】
送信部３２は、無線タグ回路素子ＴoのＩＣ回路部１５１の無線タグ情報にアクセスする(読み取り又は書き込みを行う)ための搬送波を発生させる水晶振動子３５、ＰＬＬ（Phase
Locked Loop）３６、及びＶＣＯ（Voltage Controlled  Oscillator）３７と、上記信号処理回路２２から供給される信号に基づいて上記発生させられた搬送波を変調（この例では信号処理回路２２からの「ＴＸ＿ＡＳＫ」信号に基づく振幅変調）する送信乗算回路３８（但し振幅変調の場合は増幅率可変アンプ等を用いてもよい）と、その送信乗算回路３８により変調された変調波を、制御回路３０からの「ＴＸ＿ＰＷＲ」信号によって増幅率を決定し増幅する可変送信アンプ３９とを備えている。そして、上記発生される搬送波は、好適にはＵＨＦ帯の周波数を用いており、上記送信アンプ３９の出力は、送受分離器３４を介してアンテナ１４に伝達されて無線タグ回路素子ＴoのＩＣ回路部１５１に供給される。
【００６７】
受信部３３は、アンテナ１４により受信された無線タグ回路素子Ｔoからの反射波と上記発生させられた搬送波とを掛け合わせる受信第１乗算回路４０と、その受信第１乗算回路４０の出力から必要な帯域の信号のみを取り出すための第１バンドパスフィルタ４１と、この第１バンドパスフィルタ４１の出力を増幅する受信第１アンプ４３と、この受信第１アンプ４３の出力をさらに増幅してデジタル信号に変換する第１リミッタ４２と、上記アンテナ１４により受信された無線タグ回路素子Ｔoからの反射波と上記発生された後に移相器４９で位相を９０°遅らせた搬送波とを掛け合わせる受信第２乗算回路４４と、その受信第２乗算回路４４の出力から必要な帯域の信号のみを取り出すための第２バンドパスフィルタ４５と、この第２バンドパスフィルタ４５の出力を増幅する受信第２アンプ４７と、この受信第２アンプ４７の出力をさらに増幅してデジタル信号に変換する第２リミッタ４６とを備えている。そして、上記第１リミッタ４２から出力される信号「ＲＸＳ−Ｉ」及び第２リミッタ４６から出力される信号「ＲＸＳ−Ｑ」は、上記信号処理回路２２に入力されて処理される。
【００６８】
また、受信第１アンプ４３及び受信第２アンプ４７の出力は、ＲＳＳＩ（Received  Signal  Strength  Indicator)回路４８にも入力され、それらの信号の強度を示す信号「ＲＳＳＩ」が信号処理回路２２に入力されるようになっている。このようにして、本実施形態のタグラベル作成装置２では、Ｉ−Ｑ直交復調によって無線タグ回路素子Ｔoからの反射波の復調が行われる。
【００６９】
図５は、上記センサ２０の構成の一例を表す説明図である。
【００７０】
図５において、センサ２０は、この例では、凹凸形状を備えた被検出部（被検出子）１９０の識別子１９０Ａ〜Ｃに対しバネ部材２０Ａで接点２０Ｂを付勢当接させることで凹凸形状を検出するメカニカルスイッチであり、各凹凸部に対応して配置された接点２０Ｂより制御回路３０へ検出信号を出力するようになっている。
【００７１】
これら識別子１９０Ａ〜Ｃは、上記凹凸の有無によって、カートリッジ１００の上記タグ配置情報（基材テープ１０１内における無線タグ回路素子Ｔoの配置位置を表す情報。例えばテープ幅、無線タグ回路素子Ｔoの配置間隔情報等を含む。）を表しており、上記センサ２０は当該カートリッジ１００に関するそのタグ配置情報を検出し制御回路３０へ出力する。
【００７２】
なお、上記の検出手段としてのセンサ２０は、メカニカルスイッチに限られず、他の方式、例えば光の反射を利用したセンサであってもよい。この場合、例えば制御回路３０からの信号により発光する発光ダイオードと、その発光の各識別子１９０Ａ〜Ｃにおける反射光を受光し対応する検出信号を制御回路３０に出力するフォトトランジスタとを備えている。
【００７３】
図６は、上記無線タグ回路素子Ｔoの機能的構成を表す機能ブロック図である。この図６において、無線タグ回路素子Ｔoは、タグラベル作成装置２側のアンテナ１４とＵＨＦ帯等の高周波を用いて非接触で信号の送受信を行う上記アンテナ１５２と、このアンテナ１５２に接続された上記ＩＣ回路部１５１とを有している。
【００７４】
ＩＣ回路部１５１は、アンテナ１５２により受信された搬送波を整流する整流部１５３と、この整流部１５３により整流された搬送波のエネルギを蓄積しＩＣ回路部１５１の駆動電源とするための電源部１５４と、上記アンテナ１５２により受信された搬送波からクロック信号を抽出して制御部１５５に供給するクロック抽出部１５６と、所定の情報信号を記憶し得る情報記憶手段として機能するメモリ部１５７と、上記アンテナ１５２に接続された変復調部１５８と、上記整流部１５３、クロック抽出部１５６、及び変復調部１５８等を介して上記無線タグ回路素子Ｔoの作動を制御するための上記制御部１５５とを備えている。
【００７５】
変復調部１５８は、アンテナ１５２により受信された上記タグラベル作成装置２のアンテナ１４からの通信信号の復調を行うと共に、上記制御部１５５からの応答信号に基づき、アンテナ１５２より受信された搬送波を変調反射する。
【００７６】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【００７７】
図７（ａ）及び図７（ｂ）は、上述のようにして無線タグ回路素子Ｔoの情報読み取り又は書き込み及び印字済タグラベル用テープ１１０の切断が完了し形成された無線タグラベルＴの外観の一例を表す図であり、図７（ａ）は上面図、図７（ｂ）は下面図である。また図８は、図７中VIII−VIII′断面による横断面図である。
【００７８】
これら図７（ａ）、図７（ｂ）、及び図８において、無線タグラベルＴは１つの無線タグ回路素子Ｔoを内包し、図８に示すように、図３に示した４層構造にカバーフィルム１０３が加わった５層構造となっており、カバーフィルム１０３側（図８中上側）よりその反対側（図８中下側）へ向かって、カバーフィルム１０３、粘着層１０１ａ、ベースフィルム１０１ｂ、粘着層１０１ｃ、剥離紙１０１ｄで５層を構成している。そして、前述のようにベースフィルム１０１ｂの裏側に設けられたアンテナ１５２を含む無線タグ回路素子Ｔoが粘着層１０１ｃ内に備えられるとともに、カバーフィルム１０３の裏面に印字Ｒ（この例では「ＡＢＣ」の文字）が印刷されている。なお、図７（ａ）に示すように、印字Ｒは、無線タグ回路素子Ｔoの配置領域を視認（識別）できるように、無線タグ回路素子Ｔoの配置位置に対応した領域ＴＡ（以下、タグ配置領域ＴＡと記載する）内の印字が領域外よりも太字となるように印字されている（詳細は後述）。
【００７９】
図９は、上述したようなタグラベル作成装置２による無線タグ回路素子ＴoのＩＣ回路部１５１の無線タグ情報へのアクセス(読み取り又は書き込み)に際して、上記した端末５又は汎用コンピュータ６に表示される画面の一例を表す図である。
【００８０】
図９において、この例では、タグラベルの種別（アクセス周波数及びテープ寸法）、無線タグ回路素子Ｔoに対応して印刷された印字文字Ｒ、その無線タグ回路素子Ｔoに固有のＩＤであるアクセス（読み取り又は書き込み）ＩＤ、上記情報サーバ７に記憶された物品情報のアドレス、及び上記ルートサーバ４におけるそれらの対応情報の格納先アドレス等が前記端末５又は汎用コンピュータ６に表示可能となっている。そして、タグラベル作成時にはその端末５又は汎用コンピュータ６の操作によりタグラベル作成装置２が作動されて、カバーフィルム１０３に上記印字文字Ｒが印刷されると共に、後述するようにＩＣ回路部１５１に上記書き込みＩＤ及び物品情報等の情報が書き込まれる（又はＩＣ回路部１５１に予め記憶された物品情報等の無線タグ情報が読みとられる）。なおこのとき、印刷動作に伴い搬送ガイド１３を移動中の印字済タグラベル用テープ１１０に対してアクセスエリア内に保持してアクセス（読み取り又は書き込み）するようにしてもよいし、印字済タグラベル用テープ１１０を所定位置で停止させて搬送ガイド１３にて保持した状態で上記アクセスを行うようにしてもよい。また、上記のような読み取り又は書き込みの際、生成された無線タグラベルＴの無線タグ回路素子ＴoのＩＤとその無線タグ回路素子ＴoのＩＣ回路部１５１に書き込まれた情報（又はＩＣ回路部１５１から読みとられた情報）との対応関係は、前述のルートサーバ４に記憶され、必要に応じて参照できるようになっている。
【００８１】
ここで、本発明の最も大きな特徴は、上述したように無線タグ回路素子Ｔoの配置領域を視認（識別）できるように印字する機能がタグラベル作成装置２に備えられていることであり、特に、この実施形態では、無線タグ回路素子Ｔoの配置位置に対応したタグ配置領域ＴＡ内における印字Ｒの印字態様を操作者（ユーザ）が複数の印字態様の中から選択することにより、これに応じてタグ配置領域ＴＡ内における印字態様が変化した無線タグラベルＴをタグラベル作成装置２が作成することにある。
【００８２】
図１０は、このようにして行われる無線タグラベルＴの作成において、カバーフィルム１０３を搬送し印字ヘッド１０で所定の印字を行いつつ基材テープ１０１を貼り合わせて印字済タグラベル用テープ１１０とした後印字済タグラベル用テープ１１０を切断し無線タグラベルＴとする際に、制御回路３０によって実行される制御手順を表すフローチャートである。
【００８３】
この図１０において、まずステップＳ１０５において、タグラベル作成装置２の書き込み操作が行われるとこのフローが開始される。そして、上記端末５又は汎用コンピュータ６を介して入力操作された、無線タグ回路素子ＴoのＩＣ回路部１５１に書き込みたい情報、及びこれに対応して印字ヘッド１０により無線タグラベルＴへ印字すべき印字情報が通信回線３及び入出力インターフェイス３１を介し読み込まれると共に、センサ２０により検出されたカートリッジ１００に関するタグ配置情報が入力部３０ｃ（後述の図１２参照）を介し読み込まれる。なお、このとき読み込まれた印字情報は印字メモリ３０ｂの印字バッファ３０ｂ１上に展開されて一時的に記憶され、タグ配置情報はタグ領域メモリ３０ｄのタグ領域バッファ３０ｄ１上に展開されて一時的に記憶される（後述の図１２参照）。
【００８４】
その後、ステップＳ１１０において、無線タグ回路素子Ｔｏからの応答がないときのリトライ（再試行）の回数をカウントする変数Ｍ，Ｎ、及び通信良好か不良かを表すフラグＦを０に初期化する。
【００８５】
そして、ステップＳ３００において、上記端末５又は汎用コンピュータ６を介して行われた操作者の入力操作に応じ、タグ配置領域ＴＡ内における印字Ｒの印字態様を設定する（詳細は後述の図１１参照）。
【００８６】
次のステップＳ１１２において、上記ステップＳ１０５で読み込まれた印字情報及びタグ配置情報に基づき、上記ステップＳ３００で設定した印字態様に応じて、印刷駆動回路２５に出力するための制御信号を生成する（詳細は後述の図１２参照）。
【００８７】
そして、ステップＳ１１５において、カートリッジ駆動回路２４に制御信号を出力し、カートリッジ用モータ２３の駆動力によってリボン巻取りローラ１０６及び圧着ローラ１０７を回転駆動させる。これにより、第１ロール１０２から基材テープ１０１が繰り出され圧着ローラ１０７へ供給され、第２ロール１０４からはカバーフィルム１０３が繰り出される。またこのとき、印刷駆動回路２５に上記ステップＳ１１２で生成した制御信号を出力し、印字ヘッド１０を通電して、カバーフィルム１０３のうち所定の領域に、ステップＳ１０５で読み込んだ文字、記号、バーコード等の印字Ｒを、上記ステップＳ３００で設定した印字態様に応じてタグ配置領域ＴＡ内における印字態様を変化させつつ印刷させる。さらに送出ローラ駆動回路２９を介して送出ローラ用モータ２８に制御信号を出力し、送出ローラ１７Ａを回転駆動させる。以上の結果、前述したように基材テープ１０１と上記印刷が終了したカバーフィルム１０３とが上記圧着ローラ１０７及びサブローラ１０９により接着されて一体化され、印字済タグラベル用テープ１１０として形成され、カートリッジ体１００外方向へと搬送される。
【００８８】
その後、ステップＳ１２０において、印字済タグラベル用テープ１１０が所定値Ｃ（例えば、対応する印字が施されたカバーフィルム１０３が貼り合わされた無線タグ回路素子Ｔoが搬送ガイド１３に到達するだけの搬送距離）だけ搬送されたかどうかを判断する。このときの搬送距離判定は、例えば、上記基材テープ１０１に設けた適宜の識別用マークを別途設けた公知のテープセンサで検出することにより行えば足りる。判定が満たされたら、ステップＳ２００に移る。ステップＳ２００では、タグ情報書き込み処理を行い、書き込むためのメモリ初期化（消去）を行った後、無線タグ情報を無線タグ回路素子Ｔoに送信して書き込む（詳細は後述の図１３参照）。このステップＳ２００が終了したらステップＳ１２５に移る。
【００８９】
ステップＳ１２５では、フラグＦ＝０であるかどうかが判定される。書き込み処理が正常に完了していればＦ＝０のまま（後述の図１３に示すフローのステップＳ２４５参照）であるので、この判定が満たされ、ステップＳ１３０に移る。
【００９０】
ステップＳ１３０では、上記ステップＳ２００で無線タグ回路素子ＴoのＩＣ回路部１５１へ書き込まれた情報と、これに対応して既に印字ヘッド１０により印字された印字情報との組み合わせが、入出力インターフェイス３１及び通信回線３を介し端末５又は汎用コンピュータ６を介して出力され、情報サーバ７やルートサーバ４に記憶される。なお、この記憶データは必要に応じて端末５又は汎用コンピュータ６より参照可能に例えばデータベース内に格納保持される。
【００９１】
その後、ステップＳ１３５で、カバーフィルム１０３のうちこの時点で処理対象としている無線タグ回路素子Ｔoに対応する領域への印字がすべて完了しているかどうかを確認した後、ステップＳ１４０へ移る。
【００９２】
なお、先に述べたステップＳ１２５において、何らかの理由で書き込み処理が正常に完了していない場合はＦ＝１とされている（後述の図１３に示すフローのステップＳ２４５参照）のでステップＳ１２５の判定が満たされず、ステップＳ１３７に移り、印刷駆動回路２５に制御信号を出力して印字ヘッド１０の通電を中止し印字を停止させる。このように印字中途停止によって当該無線タグ回路素子Ｔoが正常品でないことを明らかに表示するようにした後、ステップＳ１４０へ移る。
【００９３】
ステップＳ１４０では、印字済タグラベル用テープ１１０がさらに所定量（例えば、対象とする無線タグ回路素子Ｔo及びこれに対応するカバーフィルム１０３の印字領域のすべてがカッタ１５を所定の長さ(余白量)分越えるだけの搬送距離）だけ搬送されたかどうかを判断する。このときの搬送距離判定も、前述のステップＳ１２０と同様、例えばマーキングをテープセンサで検出することにより行えば足りる。判定が満たされたら、ステップＳ１４５に移る。
【００９４】
ステップＳ１４５では、カートリッジ駆動回路２４及び送出ローラ駆動回路２９に制御信号を出力し、カートリッジ用モータ２３及び送出ローラ用モータ２８の駆動を停止して、リボン巻取りローラ１０６、圧着ローラ１０７、送出ローラ１７の回転を停止する。これにより、第１ロール１０２からの基材テープ１０１の繰り出し、第２ロール１０４からのカバーフィルム１０３の繰り出し、及び送出ローラ１７による印字済タグラベル用テープ１１０の搬送が停止する。
【００９５】
その後、ステップＳ１５０でソレノイド駆動回路２７に制御信号を出力してソレノイド２６を駆動し、カッタ１５によって印字済タグラベル用テープ１１０の切断を行う。前述したように、この時点で、無線タグ回路素子Ｔo及びこれに対応するカバーフィルム１０３の印字領域のすべてがカッタ１５を十分に越えており、このカッタ１５の切断によって、無線タグ回路素子Ｔoに所定の無線タグ情報が書き込まれかつこれに対応する所定の印字が行われたラベル状の無線タグラベルＴが生成される。
【００９６】
その後、ステップＳ１５５に移り、送出ローラ用駆動回路２９に制御信号を出力し、送出ローラ用モータ２８の駆動を再開して、送出ローラ１７を回転させる。
【００９７】
これにより、送出ローラ１７による搬送が再開されて上記ステップＳ１５０でラベル状に生成された無線タグラベルＴが搬出口１６へ向かって搬送され、搬出口１６からタグラベル作成装置２外へと排出される。
【００９８】
図１１は、上述したステップＳ３００の詳細手順を表すフローチャートである。
【００９９】
この図１１において、まずステップＳ３１０において、上記端末５又は汎用コンピュータ６を介し、操作者により、タグ配置領域ＴＡ内で変化させる印字態様として線図太さが選択入力されたかどうかを判定する。なお、このときの入力は、端末５又は汎用コンピュータ６において、予め定められた印字態様の選択表示（ここでは線図太さ又は線図色彩）から選択入力することにより行われる。判定が満たされた場合、次のステップＳ３２０に移る。
【０１００】
ステップＳ３２０では、操作者によりタグ配置領域ＴＡ内の印字態様として太字が選択入力されたかどうかを判定する。判定が満たされると、ステップＳ３３０に移り、タグ配置領域ＴＡ内の印字態様を太字に設定する。一方、操作者により太字が選択されなかった場合には、判定が満たされずにステップＳ３４０に移り、タグ配置領域ＴＡ内の印字態様を細字に設定する。
【０１０１】
なお、上記ステップＳ３３０，Ｓ３４０で太字又は細字が設定された場合の印字の太さについては、予め定められた適宜の値に自動的に設定するようにしてもよいし、例えば操作者が全く自由に印字の太さを数値で入力できるようにしてもよい。また、操作者が予め定められた複数の印字太さの中から選択入力できるようにしてもよい。
【０１０２】
一方、先のステップＳ３１０において線図太さが選択されなかった場合には、判定が満たされずに次のステップＳ３５０に移る。このステップＳ３５０では、操作者により、タグ配置領域ＴＡ内で変更させる印字態様として線図色彩が選択入力されたかどうかを判定する。判定が満たされなかった場合にはステップＳ３１０に戻る。判定が満たされた場合には、次のステップＳ３６０に移る。
【０１０３】
ステップＳ３６０では、操作者によりタグ配置領域ＴＡ内の印字態様として白黒反転が選択入力されたかどうかを判定する。判定が満たされると、ステップＳ３７０に移り、タグ配置領域ＴＡ内の印字態様を白黒反転に設定する。一方、操作者により白黒反転が選択されなかった場合には、判定が満たされずにステップＳ３８０に移り、タグ配置領域ＴＡ内の印字態様を文字色変更に設定する。
【０１０４】
なお、上記ステップＳ３８０で文字色変更を設定した場合における文字色の選択については、例えばタグ配置領域ＴＡ内の印字を赤、領域外の印字を黒といったように予め定められた文字色に設定するようにしてもよいし、これに限られず、操作者が自由に文字色を指定できるようにしてもよい。
【０１０５】
図１２は、制御回路３０の機能のうち、上述した図１０のステップＳ１１２で行う印字用の制御信号の生成に係わる部分を抽出して示す機能ブロック図である。
【０１０６】
この図１２において、制御回路３０は、入出力インターフェイス３１から印字情報を入力する入力部３０ａと、この入力部３０ａを介して入力した印字情報を印字バッファ（印字データ記憶領域）３０ｂ１上に展開して一時的に記憶する印字メモリ（印字データ記憶手段）３０ｂと、前述したセンサ２０によりカートリッジ１００に設けた被検出部１９０から検出したタグ配置情報を入力する入力部３０ｃと、この入力部３０ｃを介して入力したタグ配置情報をタグ領域バッファ（タグ配置データ記憶領域）３０ｄ１上に展開して一時的に記憶するタグ領域メモリ（タグ配置データ記憶手段）３０ｄと、上記印字メモリ３０ｂ及びタグ領域メモリ３０ｄにそれぞれ記憶された印字情報及びタグ配置情報に基づき、印刷駆動回路２５へ出力するための制御信号を生成する制御信号生成部３０ｅと、生成された制御信号を印刷駆動回路２５へ出力する出力部３０ｆとを備えている。
【０１０７】
上記印字メモリ３０ｂは、入力された印字情報を印字バッファ３０ｂ１上に展開し、ドット（ここでは黒と白の２種類のドット）の配列情報に変換する。なお、この図１２では説明を簡易とするため、印字文字Ｒとして「Ａ」の一文字が入力された場合を図示している。
【０１０８】
一方、上記タグ領域メモリ３０ｄは、入力されたタグ配置情報から、無線タグ回路素子Ｔoの配置位置に対応したタグ配置領域ＴＡ（前述の図７参照）を設定する。このタグ配置領域ＴＡは、無線タグ回路素子Ｔoの切断防止を確実に図る観点から、前述の図７（ａ）に示すように、実際の無線タグ回路素子Ｔoの配置領域より若干大きめに設定される。なお、タグ配置領域ＴＡを実際の無線タグ回路素子Ｔoの配置領域とほぼ同等の大きさに設定するようにしてもよい。そして、この設定したタグ配置領域ＴＡの領域情報をタグ領域バッファ３０ｄ１上に展開し、ドット（ここでは灰色と白の２種類のドット）の配列情報に変換する。
【０１０９】
なお、上記印字バッファ３０ｂ１とタグ領域バッファ３０ｄ１の容量はほぼ同じとなるように設定されており、且つ、実際のタグ配置領域ＴＡの大きさに応じた容量に設定されている。これにより、少なくともタグ配置領域ＴＡに対応した分の量のデータを記憶でき、タグ配置領域ＴＡが他の領域と視認（識別）可能となるような印字を確実に行えるようになっている。
【０１１０】
制御信号生成部３０ｅは、印字メモリ３０ｂに記憶された印字情報とタグ領域メモリ３０ｄに記憶されたタグ配置情報とに基づき、先の図１１に示す印字態様設定処理により設定された印字態様に応じて、制御信号を生成する。具体的には、例えば図１１中ステップＳ３３０でタグ配置領域内太字を設定した場合、この図１２に示すように、印字情報のうちタグ配置領域ＴＡ内に対応する部分の文字の太さが太くなるように印字バッファ３０ｂ１上の印字情報を加工する。そして、出力部３０ｆが上記のようにして加工されたバッファ上の印字情報を、１列ずつ制御信号として印刷駆動回路２５へ出力する。なお、図中制御信号生成部３０ｅにおいては理解を容易とするために印字情報とタグ配置情報を重ねて示しているが、制御信号として出力するのは黒で示した印字情報のみであり、図中灰色で示したタグ配置情報は出力されない。
【０１１１】
図１３は、上述した図１０のステップＳ２００の詳細手順を表すフローチャートである。
【０１１２】
この図１３において、まず、ステップＳ２０５において、公知の適宜の手法で書き込み対象である１つの無線タグラベルＴに含まれる複数の無線タグ回路素子Ｔoの識別番号ＩＤ（＝ＩＤ情報）をそれぞれ設定し（前述したように、書き込まれる無線タグToの識別情報は常に各無線タグ回路素子Ｔoごとに異なるＩＤ情報が記憶され、混信することなく、それぞれの無線タグ回路素子にアクセスできるようになっている）、さらに情報書き込み対象とする無線タグ回路素子Ｔoがアンテナ１４近傍に搬送される。
【０１１３】
その後、ステップＳ２１０において、無線タグ回路素子Ｔoのメモリ部１５７に記憶された情報を初期化する「Erase」コマンドを信号処理回路２２に出力する。これに基づき信号処理回路２２でアクセス情報としての「Erase」信号が生成されて高周波回路２１を介して書き込み対象の無線タグ回路素子Ｔoに送信され、そのメモリ部１５７を初期化する。
【０１１４】
次に、ステップＳ２１５において、メモリ部１５７の内容を確認する「Verify」コマンドを信号処理回路２２に出力する。これに基づき信号処理回路２２でアクセス情報としての「Verify」信号が生成されて高周波回路２１を介して情報書き込み対象の無線タグ回路素子Ｔoに送信され、返信を促す。その後ステップＳ２２０において、上記「Verify」信号に対応して書き込み対象の無線タグ回路素子Ｔoから送信されたリプライ信号をアンテナ１４を介して受信し、高周波回路２１及び信号処理回路２２を介し取り込む。
【０１１５】
次に、ステップＳ２２５において、リプライ信号に基づき、当該無線タグ回路素子Ｔoのメモリ部１５７内の情報を確認し、メモリ部１５７が正常に初期化されたか否かを判定する。
【０１１６】
判定が満たされない場合はステップＳ２３０に移ってＭに１を加え、さらにステップＳ２３５においてＭ＝５かどうかが判定される。Ｍ≦４の場合は判定が満たされずステップＳ２１０に戻り同様の手順を繰り返す。Ｍ＝５の場合はステップＳ２４０に移り、エラー表示信号を入出力インターフェイス３１及び通信回線３を介し上記端末５又は汎用コンピュータ６へ出力し、対応する書き込み失敗（エラー）表示を行わせ、このフローを終了する。このようにして初期化が不調でも５回までは再試行が行われる。
【０１１７】
ステップＳ２２５の判定が満たされた場合、ステップＳ２５０に移り、所望のデータをメモリ部１５７に書き込む「Program」コマンドを信号処理回路２２に出力する。これに基づき信号処理回路２２でアクセス情報としての「Program」信号（＝上記ＩＤ情報等の無線タグ情報）が生成されて高周波回路２１を介して情報書き込み対象の無線タグ回路素子Ｔoに送信され、そのメモリ部１５７に情報が書き込まれる。
【０１１８】
その後、ステップＳ２５５において、「Verify」コマンドを信号処理回路２２に出力する。これに基づき信号処理回路２２でアクセス情報としての「Verify」信号が生成されて高周波回路２１を介して情報書き込み対象の無線タグ回路素子Ｔoに送信され、返信を促す。その後ステップＳ２６０において、上記「Verify」信号に対応して書き込み対象の無線タグ回路素子Ｔoから送信されたリプライ信号をアンテナ１４を介して受信し、高周波回路２１及び信号処理回路２２を介し取り込む。
【０１１９】
次に、ステップＳ２６５において、リプライ信号に基づき、当該無線タグ回路素子Ｔoのメモリ部１５７内に記憶された情報を確認し、前述の送信した所定の情報がメモリ部１５７に正常に記憶されたか否かを判定する。
【０１２０】
判定が満たされない場合はステップＳ２７０に移ってＮに１を加え、さらにステップＳ２７５においてＮ＝５かどうかが判定される。Ｎ≦４の場合は判定が満たされずステップＳ２５０に戻り同様の手順を繰り返す。Ｎ＝５の場合は前述したステップＳ２４０に移り、同様に上記端末５又は汎用コンピュータ６に対応する書き込み失敗（エラー）表示を行わせ、ステップＳ２４５で前述のフラグＦ＝１にして、このフローを終了する。このようにして情報書き込みが不調でも５回までは再試行が行われる。
【０１２１】
ステップＳ２６５の判定が満たされた場合、ステップＳ２８０に移り、「Lock」コマンドを信号処理回路２２に出力する。これに基づき信号処理回路２２で「Lock」信号が生成されて高周波回路２１を介して情報書き込み対象の無線タグ回路素子Ｔoに送信され、当該無線タグ回路素子Ｔoへの新たな情報の書き込みが禁止される。これにより、書き込み対象とする無線タグ回路素子Ｔoへの無線タグ情報の書き込みが完了し、このフローを終了する。
【０１２２】
以上のルーチンにより、カートリッジ１００内のアクセス対象の無線タグ回路素子Ｔoに対し、ＩＣ回路部１５１に所望の無線タグ情報（ＩＤ情報等）を書き込むことができる。
【０１２３】
図１４は、上述のようにして各印字態様で印字され形成された各無線タグラベルの外観の一例を表す図である。
【０１２４】
この図１４において、図１４（ａ）は図１１のステップＳ３３０でタグ配置領域内太字が設定された場合のタグラベルＴ（前述の図７に示したタグラベルＴと同様）を示しており、図１４（ｂ）は図１１のステップＳ３４０でタグ配置領域内細字が設定された場合のタグラベルＴ１を示している。また、図１４（ｃ）は図１１のステップＳ３７０でタグ配置領域内白黒反転が設定された場合のタグラベルＴ２の一例であり、ここではタグ配置領域ＴＡの外側を黒字で印字し、タグ配置領域ＴＡの内側を反転した白字で印字した例を示している。なお、反対にタグ配置領域ＴＡの外側を白字で印字し、タグ配置領域ＴＡの内側を黒字で印字してもよい。図１４（ｄ）は図１１のステップＳ３８０でタグ配置領域内文字色変更が設定された場合のタグラベルＴ３の一例であり、ここではタグ配置領域ＴＡの内側の文字色が外側に比べて薄くなるように印字した例を示している。なお、反対にタグ配置領域ＴＡの内側の文字色が外側に比べて濃くなるように印字してもよいし、あるいは色自体を変化（階調を変化を含む）させるように印字してもよい。
【０１２５】
以上において、信号処理回路２２及び高周波回路２１の送信部３２は、各請求項記載の、ＩＣ回路部へのアクセス情報(「Erase」信号、「Verify」信号、「Program」信号等)を生成し、装置側アンテナを介して無線タグ回路素子へ送信し、ＩＣ回路部への情報書き込み又はＩＣ回路部からの情報読み取りを行う情報アクセス手段を構成する。また、図１０中ステップＳ１０５は、請求項２記載の無線タグ回路素子のタグテープにおける配置位置に関するタグ配置情報を入力するタグ配置情報入力手段に相当すると共に、請求項３記載の印字手段でタグテープへ印字する印字情報を入力する印字情報入力手段に相当する。
【０１２６】
以上説明したように、本実施形態のタグラベル作成装置２においては、略等間隔に無線タグ回路素子Ｔoを配置した基材テープ１０１を繰り出し、この繰り出された基材テープ１０１と印字済みのカバーフィルム１０３を貼り合わせた印字済みタグラベル用テープ１１０をカッタ１５で切断して無線タグラベルＴを作成する。その際、無線タグ回路素子Ｔoの配置領域ＴＡが視認（識別）できるように、タグ配置領域ＴＡの内側と外側とで文字の太さや色彩が変わるようにカバーフィルム１０３へ印字を行う。これにより、タグ配置領域ＴＡが一目瞭然となり、ユーザはできあがったタグラベルＴにおけるタグ配置領域ＴＡを印字側（表側）から容易に認識できる。この結果、無線タグ回路素子Ｔoを避けつつ、タグラベルＴの不要部分を簡単に切断し除去することができる。また、貼り付け対象にタグラベルＴを貼り付けるときに、無線タグ回路素子Ｔoの領域に応じて貼り付け態様や貼り付け部位を簡単に工夫することが可能となる。したがって、ユーザの利便性を向上することができる。
【０１２７】
このとき、本実施形態では特に、前述したように予め複数のタグ配置領域ＴＡ内における印字態様が設定されており、その印字態様の中から操作者（ユーザ）が視認しやすい好みの印字態様を選択することができる。これにより、ユーザが変わってもタグ配置領域ＴＡを確実に認識でき、ユーザの利便性を確実に向上することができる。
【０１２８】
さらに、本実施形態では特に、制御回路３０が、印字情報を印字バッファ３０ｂ１に展開して記憶する印字メモリ３０ｂを有する構成としているので、印字処理の実行前に、印字メモリ３０ｂに記憶した印字情報とタグ領域メモリ３０ｄに記憶したタグ配置情報とに基づき制御信号生成部３０ｅにより作成された印字情報をバッファ上に記憶しておくことができる。その結果、印字の実行時には、制御信号生成部３０ｅは、バッファ上に記憶された印字情報を単に読み出して駆動信号として印刷駆動回路２５に出力することにより印字処理を行うことができるので、簡単な構成で印字制御を実現可能である。
【０１２９】
なお、本発明は、その趣旨と技術思想の範囲を逸脱しない範囲でさらに種々の変形が可能である。以下、そのような変形例を説明する。
【０１３０】
（１）背景の印字態様を変化させる場合
上記実施形態では、印字文字Ｒの印字態様を変化させることによりタグ配置領域ＴＡを視認（識別）可能とするようにしたが、これに限られず、カバーフィルム１０３に印字文字Ｒと共に背景を印字し、その背景の印字態様を変化させることによりタグ配置領域ＴＡを視認（識別）可能とするようにしてもよい。
【０１３１】
本変形例における制御回路３０Ａによって行われる印字態様設定処理（上記実施形態における図１０のステップＳ３００に相当）を図１５を用いて説明する。図１５は、本変形例の制御回路３０Ａによって実行される印字態様設定処理の詳細手順を表すフローチャートであり、上記実施形態における図１１に対応する図である。
【０１３２】
この図１５において、まずステップＳ３１０Ａにおいて、上記端末５又は汎用コンピュータ６を介し、操作者により、印字Ｒの背景の印字態様として通常の着色（すなわち後述するハッチング等の線図による背景でなく、ベタ塗りによる背景を意味する）が選択入力されたかどうかを判定する。判定が満たされた場合、次のステップＳ３２０Ａに移る。
【０１３３】
ステップＳ３２０Ａでは、操作者によりタグ配置領域ＴＡ内の背景の印字態様として着色が選択入力されたかどうかを判定する。判定が満たされると、ステップＳ３３０Ａに移り、タグ配置領域ＴＡ内の背景の印字態様を着色に設定する。一方、上記ステップＳ３２０Ａにおいて操作者が着色を選択しなかった場合、判定が満たされずにステップＳ３４０Ａに移り、タグ配置領域ＴＡ外の背景を着色すると共にタグ配置領域ＴＡ内の背景を着色しない印字態様（すなわち白抜きの印字態様）に設定する。なお、このときのタグ配置領域ＴＡ内の背景の色は、カバーフィルム１０３を透して見えるベースフィルム１０１ｂの色となる。
【０１３４】
なお、上記背景の色については、予め色を設定しておき、その設定された色によって自動的に着色されるようにしてもよいし、印字態様設定処理において操作者が色を自由に選択入力できるようにしてもよい。
【０１３５】
一方、先のステップＳ３１０Ａで操作者により背景の印字態様として着色が選択されなかった場合には、判定が満たされずに次のステップＳ３５０Ａに移り、操作者により背景の印字態様として線図が選択入力されたかどうかを判定する。なお、線図による背景とは例えばハッチングや網掛け等による背景を指す。判定が満たされない場合にはステップＳ３１０Ａに戻る。判定が満たされた場合には、次のステップＳ３６０Ａに移る。
【０１３６】
ステップＳ３６０Ａでは、操作者によりタグ配置領域ＴＡ内の背景の印字態様として線図の太さが選択入力されたかどうかを判定する。判定が満たされると、ステップＳ３７０Ａに移り、タグ配置領域ＴＡ内の背景の線図の太さが領域外よりも太く（又は細く）なるように印字態様を設定する。一方、上記ステップＳ３６０Ａにおいて操作者により線図太さが選択されなかった場合には、判定が満たされずにステップＳ３８０Ａに移り、タグ配置領域ＴＡ内の背景の線図の色が領域外の背景の線図の色と異なるように印字態様を設定する。
【０１３７】
なお、上記背景の線図の太さは、予めタグ配置領域ＴＡ内を太く（又は細く）する場合のタグ配置領域ＴＡ内外の線図太さを設定しておき、その設定された太さで自動的に印字されるようにしてもよいし、印字態様設定処理において操作者が線図の太さを自由に設定入力できるようにしてもよい。また、この際、予め設定された複数の太さから選択入力するようにしてもよい。また、背景の線図の色についても、予めタグ配置領域ＴＡ内外の色を設定しておき、その設定された色によって自動的に着色されるようにしてもよいし、印字態様設定処理において操作者が線図の色を自由に設定入力できるようにしてもよい。
【０１３８】
次に、制御回路３０Ａによって行われる印字信号の生成（上記実施形態における図１０のステップＳ１１２に相当）について図１６を用いて説明する。図１６は、本変形例の制御回路３０Ａの機能のうち、印字用の制御信号の生成に係わる部分を抽出して示す機能ブロック図であり、上記実施形態における図１２に対応する図である。この図１６において、図１２と同様の部分には同符号を付し説明を省略する。
【０１３９】
この図１６において、図１２に示す機能ブロック図と異なる部分は制御信号生成部３０Ａｅである。すなわち、例えば図１５中ステップＳ３３０Ａでタグ配置領域内背景着色を設定した場合、この図１６に示すように、制御信号生成部３０Ａｅは、印字メモリ３０ｂの印字バッファ３０ｂ１に記憶された印字情報とタグ領域メモリ３０ｄのタグ領域バッファ３０ｄ１に記憶されたタグ配置情報とに基づき、それら印字情報とタグ配置情報を同じバッファ上に重ね合わせて合成する。そして、このようにして重ね合わせたバッファ上の印字情報及びタグ配置情報を、１列ずつ制御信号として印刷駆動回路２５へ出力する。すなわち、本変形例の制御信号生成部３０Ａｅは、図１２に示す制御信号生成部３０ｅと異なり、図１６中黒で示す印字情報及び灰色で示すタグ配置情報の両方を制御信号として出力する。
【０１４０】
図１７は、本変形例において各印字態様で印字され形成された各無線タグラベルの外観の一例を表す図である。
【０１４１】
この図１７において、図１７（ａ）は前述した図１５のステップＳ３３０Ａでタグ配置領域内背景着色が設定された場合のタグラベルＴ４を示しており、図１７（ｂ）は図１５のステップＳ３４０Ａでタグ配置領域外背景着色が設定された場合のタグラベルＴ５を示している。また、図１７（ｃ）は図１５のステップＳ３７０Ａでタグ配置領域内背景太線が設定された場合のタグラベルＴ６を示している。なお、この図１７（ｃ）とは反対にタグ配置領域ＴＡ内の背景を細線にしてもよい。また、図１７（ｄ）は図１５のステップＳ３８０Ａでタグ配置領域内背景線色変更が設定された場合のタグラベルＴ７の一例であり、ここではタグ配置領域ＴＡの内側の背景線色が外側に比べて薄くなるように印字した例を示している。なお、反対にタグ配置領域ＴＡの内側の背景線色が外側に比べて濃くなるように印字してもよいし、あるいは色自体を変化（階調を変化を含む）させるように印字してもよい。
【０１４２】
以上説明した本変形例においても、ユーザの利便性を向上できるという上記実施形態と同様の効果を得る。
【０１４３】
なお、上記変形例では背景として着色又は線図を印字するようにしたが、これに限らず、例えば簡易的なマーク（図柄）等をタグ配置領域ＴＡ内に配置した背景を印字するようにしてもよい。この場合、例えばアンテナ等の無線タグ回路素子Ｔoを想起させる図柄を印字することにより、ユーザの注意をより一層喚起することができる。
【０１４４】
（２）印字をタグ配置領域に合わせて伸縮させる場合
上記実施形態及び変形例（１）では、印字文字Ｒ及び背景のうちタグ配置領域ＴＡ内に位置する部分の印字態様を部分的に変化させることによりタグ配置領域ＴＡを視認（識別）可能とするようにしたが、これに限られず、印字文字Ｒをタグ配置領域ＴＡの大きさに合うように伸縮させ、この伸縮させた印字文字Ｒを印字することによりタグ配置領域ＴＡを視認（識別）可能とするようにしてもよい。
【０１４５】
図１８は、本変形例の制御回路３０Ｂの機能のうち、印字用の制御信号の生成に係わる部分を抽出して示す機能ブロック図であり、上記実施形態における図１２及び上記変形例（１）の図１６に対応する図である。この図１８において、図１２及び図１６と同様の部分には同符号を付し説明を省略する。なお、この図１８は印字Ｒがタグ配置領域ＴＡよりも大きい場合を例として示している。
【０１４６】
この図１８において、図１２及び図１６に示す機能ブロック図と異なる部分は制御信号生成部３０Ｂｅである。すなわち、制御信号生成部３０Ｂｅは、この図１８に示すように、印字文字Ｒがタグ配置領域ＴＡ内に収まるようにバッファ上の印字情報を縦・横方向に適宜の比率で縮小加工する。そして、このようにして加工したバッファ上の印字情報を、１列ずつ制御信号として出力部３０ｆを介して印刷駆動回路２５へ出力する。なお、この図１８の制御信号生成部３０Ｂｅでは印字情報とタグ配置情報を重ねて示しているが、図１２の制御信号生成部３０ｅと同様に、制御信号として出力するのは黒で示した印字情報のみであり、図中灰色で示したタグ配置情報は出力されない。
【０１４７】
図１９は、本変形例において印字され形成された無線タグラベルの外観の一例を表す図である。
【０１４８】
この図１９において、図１９（ａ）は仮に印字Ｒを伸縮させずに印字して形成すると印字Ｒがタグ配置領域ＴＡよりも大きくなる場合のタグラベルＴ８′を示しており、図１９（ｂ）は仮に印字Ｒを伸縮させずに印字して形成すると印字Ｒがタグ配置領域ＴＡよりも小さくなる場合のタグラベルＴ８″を示しており、図１９（ｃ）は、上記図１９（ａ）及び（ｂ）のような場合において本変形例のタグラベル作成装置により作成されるタグラベルＴ８を示している。この図１９に示すように、タグラベルＴ８においては、印字Ｒが縦・横方向に適宜の比率で伸縮され、印字領域がタグ配置領域ＴＡとほぼ同等となるように印字されている。
【０１４９】
以上説明した本変形例においても、ユーザの利便性を向上できるという上記実施形態と同様の効果を得る。
【０１５０】
（３）印字バッファ及びタグバッファのうち少なくとも一方を有しない場合
上記実施形態及び変形例（１）（２）においては、制御回路が印字メモリ及びタグ領域メモリの両方を有し、印字情報及びタグ配置情報をそれぞれのメモリのバッファ上に展開して一時的に記憶するようにしたが、本発明のユーザの利便性を向上できるという効果を得る限りにおいては、必ずしも両バッファを有する必要はない。すなわち、制御回路が印字バッファのみを有する場合、タグ領域バッファのみを有する場合、又は両方のバッファを有しないタグラベル作成装置に対しても、本発明は適用可能である。以下、それぞれの場合について、説明する。
【０１５１】
（Ａ）印字バッファのみ有する場合
図２０は、本変形例の制御回路３０Ｃの機能のうち、印字用の制御信号の生成に係わる部分を抽出して示す機能ブロック図であり、上記実施形態における図１２等に対応する図である。この図２０において、図１２等と同様の部分には同符号を付し説明を省略する。なお、この図２０は、前述した図１１のステップＳ３３０でタグ配置領域内太字を設定した場合を示している。
【０１５２】
この図２０において、図１２等に示す機能ブロック図と異なる部分は、タグ領域メモリ３０ｄを有しない点と、制御信号生成部３０ｅの代わりに制御信号生成部３０Ｃｅを有する点である。すなわち、本変形例においては、センサ２０より入力されるタグ配置情報が、タグ領域メモリ３０ｄのタグ領域バッファ３０ｄ１上に展開されずに制御信号生成部３０Ｃｅに直接入力される。制御信号生成部３０Ｃｅは、この入力されたタグ配置情報を用いて印字メモリ３０ｂの印字バッファ３０ｂ１に記憶された印字情報を加工する。そして、加工した印字情報を、１列ずつ制御信号として出力部３０ｆを介して印刷駆動回路２５へ出力する。
【０１５３】
その結果、上記実施形態と同様に、タグ配置領域ＴＡ内において太字となる印字態様で印字Ｒが印字され、タグラベルＴが作成される。したがって、タグ配置領域ＴＡが一目瞭然となり、ユーザの利便性を向上できる。また本変形例によれば、制御回路３０が印字情報を印字バッファ３０ｂ１に展開して記憶する印字メモリ３０ｂを有する構成であるので、上記実施形態と同様に簡単な構成で印字制御を実現できるという効果も得ることができる。さらに、制御回路３０Ｃがタグ領域メモリ３０ｄを有しない構成であることから、上記実施形態に比べて制御回路の構成を簡素化できる。
【０１５４】
（Ｂ）タグ領域バッファ部のみ有する場合
図２１は、本変形例の制御回路３０Ｄの機能のうち、印字用の制御信号の生成に係わる部分を抽出して示す機能ブロック図であり、上記実施形態における図１２等に対応する図である。この図２１において、図１２等と同様の部分には同符号を付し説明を省略する。なお、この図２１は、前述した図１１のステップＳ３３０でタグ配置領域内太字を設定した場合を示している。
【０１５５】
この図２１において、図１２等に示す機能ブロック図と異なる部分は、印字メモリ３０ｂを有しない点と、制御信号生成部３０ｅの代わりに制御信号生成部３０Ｄｅを有する点である。すなわち、本変形例においては、上記端末５又は汎用コンピュータ６において操作者により入力操作され入出力インターフェイス３１より入力される印字情報が、印字メモリ３０ｂの印字バッファ３０ｂ１上に展開されずに、例えば１列ずつ制御信号生成部３０Ｄｅに直接入力される。制御信号生成部３０Ｄｅは、この入力された印字情報を用いてタグ領域メモリ３０ｄのタグ領域バッファ３０ｄ１に記憶されたタグ配置情報を加工する。そして、加工したタグ配置情報を、１列ずつ制御信号として出力部３０ｆを介して印刷駆動回路２５へ出力する。
【０１５６】
その結果、上記実施形態と同様に、タグ配置領域ＴＡ内において太字となる印字態様で印字Ｒが印字され、タグラベルＴが作成される。したがって、タグ配置領域ＴＡが一目瞭然となり、ユーザの利便性を向上できる。また、制御回路３０Ｃが印字メモリ３０ｂを有しない構成であることから、上記実施形態に比べて制御回路の構成を簡素化できる。
【０１５７】
（Ｃ）印字バッファ部及びタグ領域バッファ部の両方を有しない場合
図２２は、本変形例の制御回路３０Ｅの機能のうち、印字用の制御信号の生成に係わる部分を抽出して示す機能ブロック図であり、上記実施形態における図１２等に対応する図である。この図２２において、図１２等と同様の部分には同符号を付し説明を省略する。なお、この図２２は、前述した図１１のステップＳ３３０でタグ配置領域内太字を設定した場合を示している。
【０１５８】
この図２２において、図１２等に示す機能ブロック図と異なる部分は、印字メモリ３０ｂ及びタグ領域メモリ３０ｄの両方を有しない点と、制御信号生成部３０ｅの代わりに制御信号生成部３０Ｅｅを有する点である。すなわち、本変形例においては、上記端末５又は汎用コンピュータ６において操作者により入力操作され入出力インターフェイス３１より入力される印字情報と、センサ２０より入力されるタグ配置情報とが、バッファ上に展開されずに制御信号生成部３０Ｄｅに直接入力される。このとき、制御信号生成部３０Ｅｅは、例えば一列ずつ入力される印字情報とこれに対応する位置のタグ配置情報とをその都度比較することによりタグ配置領域ＴＡ内であるかどうかを判定しつつ、タグ配置領域ＴＡ外と判定した場合にはそのままの印字情報を、タグ配置領域ＴＡ内と判定した場合には太字に加工した印字情報を、１列ずつ制御信号として出力部３０ｆを介して印刷駆動回路２５へ出力する。
【０１５９】
その結果、上記実施形態と同様に、タグ配置領域ＴＡ内において太字となる印字態様で印字Ｒが印字され、タグラベルＴが作成される。したがって、タグ配置領域ＴＡが一目瞭然となり、ユーザの利便性を向上できる。また、制御回路３０Ｃが印字メモリ３０ｂ及びタグ領域メモリ３０ｄを有しない構成であることから、制御回路の構成をさらに簡素化できる。
【０１６０】
（４）タグ配置領域ＴＡ内の一部のみ印字態様を変化させる場合
以上においては、印字Ｒ又は背景の印字態様のうち、タグ配置領域ＴＡ内に位置する全ての部分の印字態様を変化させるようにしたが、これに限られず、タグ配置領域ＴＡ内における一部分の印字態様を変化させるようにしてもよい。例えば、印字Ｒ又は背景の印字態様のうち、タグ配置領域ＴＡの輪郭部分に該当する領域のみの印字態様を変化させたり、または前述したように背景にマークを印字する場合にあってはタグ配置領域ＴＡの輪郭部分にのみそのマークを配置することにより、タグ配置領域ＴＡを視認（識別）することが可能である。
【０１６１】
（５）その他
（Ａ）情報読み取りのみを行う場合
以上においては、無線タグ回路素子ＴoのＩＣ回路部１５１に情報書き込みを行う場合を例にとって説明したが、これに限られず、情報読み取りのみが可能な無線タグ回路素子Ｔoを備えた無線タグラベルＴの生成システムに本発明を適用してもよい。この場合も同様の効果を得る。
【０１６２】
（Ｂ）貼り合わせを行わない場合
すなわち、上記実施形態のように、無線タグ回路素子Ｔoを備えたタグテープ（基材テープ）１０１とは別のカバーフィルム１０３に印字を行ってこれらを貼り合わせるのではなく、タグテープに備えられたカバーフィルムに印字を行うタグラベル作成装置に本発明を適用してもよい。この場合、印字対象のテープに無線タグ回路素子Ｔoが備えられることとなるが、当該テープとして感熱テープを用いることもできる。この場合も、上記実施形態と同様の効果を得る。
【０１６３】
なお、以上で用いた「Erase」信号、「Verify」信号、「Program」信号等は、ＥＰＣ  ｇｌｏｂａｌが策定した仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１６４】
その他、一々例示はしないが、本発明は、その趣旨を逸脱しない範囲内において、種々の変更が加えられて実施されるものである。
【図面の簡単な説明】
【０１６５】
【図１】本発明の一実施形態のタグラベル作成装置が適用される無線タグ生成システムを表すシステム構成図である。
【図２】図１に示したタグラベル作成装置の詳細構造を表す概念的構成図である。
【図３】カートリッジの詳細構造を説明するための説明図である。
【図４】高周波回路の詳細機能を表す機能ブロック図である。
【図５】カートリッジのタグ配置情報を検出するセンサの構成の一例を表す説明図である。
【図６】無線タグ回路素子の機能的構成を表す機能ブロック図である。
【図７】無線タグラベルの外観の一例を表す上面図及び下面図である
【図８】図７中VIII−VIII′断面による横断面図である。
【図９】無線タグ情報のアクセスに際し、端末又は汎用コンピュータに表示される画面の一例を表す図である。
【図１０】無線タグラベルの作成時に、制御回路によって実行される制御手順を表すフローチャートである。
【図１１】図１０におけるステップＳ３００の詳細手順を表すフローチャートである。
【図１２】制御回路の機能のうち、図１０のステップＳ１１２で行う印字用の制御信号の生成に係わる部分を抽出して示す機能ブロック図である。
【図１３】図１０におけるステップＳ２００の詳細手順を表すフローチャートである。
【図１４】本発明の一実施形態のタグラベル作成装置によって各印字態様で印字され形成された各無線タグラベルの外観の一例を表す図である。
【図１５】背景の印字態様を変化させる変形例の制御回路によって実行される印字態様設定処理の詳細手順を表すフローチャートである。
【図１６】背景の印字態様を変化させる変形例の制御回路の機能のうち、印字用の制御信号の生成に係わる部分を抽出して示す機能ブロック図である。
【図１７】背景の印字態様を変化させる変形例において各印字態様で印字され形成された各無線タグラベルの外観の一例を表す図である。
【図１８】印字をタグ配置領域に合わせて伸縮させる変形例の制御回路の機能のうち、印字用の制御信号の生成に係わる部分を抽出して示す機能ブロック図である。
【図１９】印字をタグ配置領域に合わせて伸縮させる変形例において印字され形成された無線タグラベルの外観の一例を表す図である。
【図２０】タグ領域バッファ部を有しない変形例の制御回路の機能のうち、印字用の制御信号の生成に係わる部分を抽出して示す機能ブロック図である。
【図２１】印字バッファ部を有しない変形例の制御回路の機能のうち、印字用の制御信号の生成に係わる部分を抽出して示す機能ブロック図である。
【図２２】印字バッファ部及びタグ領域バッファ部を有しない変形例の制御回路の機能のうち、印字用の制御信号の生成に係わる部分を抽出して示す機能ブロック図である。
【符号の説明】
【０１６６】
２              タグラベル作成装置
１０            印字ヘッド（印字手段）
１２            圧着ローラ駆動軸（駆動手段）
１４            アンテナ（装置側アンテナ）
２０            センサ（検出手段）
２１            高周波回路（情報アクセス手段）
２２            信号処理回路（情報アクセス手段）
３０            制御回路（印字制御手段）
３０ｂ          印字メモリ（印字データ記憶手段）
３０ｂ１        印字バッファ（印字データ記憶領域）
３０ｄ          タグ領域メモリ（タグ配置データ記憶手段）
３０ｄ１        タグ領域バッファ（タグ配置データ記憶領域）
３２            送信部（情報アクセス手段）
１００          カートリッジ（無線タグ回路素子カートリッジ）
１０１          基材テープ（タグテープ）
１０２          第１ロール（タグテープロール）
１５１          ＩＣ回路部
１９０          被検出部（被検出子）
Ｔo             無線タグ回路素子
【図１】
2006301862.tif 000003
【図２】
2006301862.tif 000004
【図３】
2006301862.tif 000005
【図４】
2006301862.tif 000006
【図５】
2006301862.tif 000007
【図６】
2006301862.tif 000008
【図７】
2006301862.tif 000009
【図８】
2006301862.tif 000010
【図９】
2006301862.tif 000011
【図１０】
2006301862.tif 000012
【図１１】
2006301862.tif 000013
【図１２】
2006301862.tif 000014
【図１３】
2006301862.tif 000015
【図１４】
2006301862.tif 000016
【図１５】
2006301862.tif 000017
【図１６】
2006301862.tif 000018
【図１７】
2006301862.tif 000019
【図１８】
2006301862.tif 000020
【図１９】
2006301862.tif 000021
【図２０】
2006301862.tif 000022
【図２１】
2006301862.tif 000023
【図２２】
2006301862.tif 000024